(57)【要約】【課題】操作部において、使用者による検知領域の認識性を損なうことなく意匠性を向上させること。【解決手段】筐体の上面に設けた電気絶縁性を有する板状部材のトッププレート３２と、トッププレート３２に設けた操作部３４に、文字、記号、絵文字または幾何学形状が印刷された印刷部３６、導電体の検知部３８、及び検知部３８に接触し、検知部３８と制御部４０とを電気接続する接続端子４２を有し、検知部の境界線４４は、印刷部３６を使用者側から見たときの文字、記号、絵文字または幾何学形状の前後端および左右端と一致するか外側近傍に配されてなること。【選択図】図２
2013155923.tif 000002
【特許請求の範囲】
【請求項１】
筐体の上面に設けた電気絶縁性を有する板状部材のトッププレートと、前記トッププレートに設けた操作部に、文字、記号、絵文字または幾何学形状が印刷された印刷部、導電体の検知部、及び前記検知部に接触し、前記検知部と制御部とを電気接続する接続端子を有し、前記検知部の境界線は、前記印刷部を使用者側から見たときの文字、記号、絵文字または幾何学形状の前後端および左右端と一致するか外側近傍に配されてなる加熱調理器。
【請求項２】
前記操作部に配された前記印刷部は、操作内容を意味する文字、記号、絵文字または幾何学形状が印刷された第１の印刷部に加え、１本から３本の線で表現された幾何学形状が印刷された第２の印刷部を持つ請求項１に記載の加熱調理器。
【請求項３】
２つ以上の前記操作部を有し、前記第２の印刷部の幾何形状は、全ての前記操作部で同１の形状を持つ請求項２に記載の加熱調理器。
【請求項４】
横方向に複数並べて配置された前記操作部を有し、前記第２の印刷部は使用者側から見たときの前側もしくは後側もしくは前後ともに配されてなる請求項３に記載の加熱調理器。
【請求項５】
縦方向に複数並べて配置された前記操作部を有し、前記第２印刷部は使用者側から見たときの左側もしくは右側もしくは左右ともに配されてなる請求項３に記載の加熱調理器。
【請求項６】
前記接続端子は、前記検知部の範囲内において前記検知部の中央より使用者側に配置してなる請求項１〜５のいずれか１項に記載の加熱調理器。
【発明の詳細な説明】
【技術分野】
【０００１】
本発明は、筐体の上面に静電容量式の操作領域を備えた加熱調理器に関するものである。
【背景技術】
【０００２】
従来、この種の加熱調理器は、複数のヒーターや誘導加熱コイル、インバータ回路及びインバータ回路の制御部等を収納する筐体の上部に、耐熱ガラス製のトッププレートが設けられている。加熱調理器の使用者は、加熱調理をする調理容器をこのトッププレートの例えば円で示されている所定位置に置く。一般的な製品では３つの調理容器を同時に加熱できるように３つの所定位置がそれぞれの円で示されている。加熱調理器の電源の「入」、「切」、加熱熱量の調節等の使用者が操作するスイッチ類、及び使用状態を表示する表示灯や表示体を、トッププレートの使用者に近い端部領域に設けたものが開示されている（例えば、特許文献１参照）。
【０００３】
この先行技術によれば、静電容量の変化によって動作する操作スイッチを強化ガラス製のトッププレートの前部に設けている。この操作スイッチは、トッププレートの下面に形成した銅箔の平面電極を有する。トッププレートの下面には、平面電極から離れた位置に接続部が設けられており、接続部と平面電極は導線でつながっている。接続部には、前記静電容量の変化を検出する検出回路につながる接点が接触し、この接点を経て平面電極は検出回路に接続されている。トッププレートの下面の平面電極に対向する、トッププレート上面の領域に人の指を近づけたり触れたりすると、平面電極と指との間の静電容量により、平面電極の電位が変化する。検出回路はこの電位変化を検出して、操作スイッチが操作されたことの入力を得る。
【０００４】
前記の先行技術では、トッププレートの下面にのみ平面電極を設けており、上面には電極を設けていない。そのためトッププレートの上面に指で触れるときの「触れ方」によって操作スイッチの動作が影響をうける。通常は指を上面に押しつけて、指の先端の大部分の領域が平面電極に対向したときに生じる静電容量によって、操作スイッチが動作するように検出回路の感度を設定している。そのためトッププレートの上面に指で触れるとき、指の先端のみで軽く触れた場合には操作スイッチが動作しないことがある。これは、指の先端のみで軽く触れたときは指の先端と平面電極との対向面積が小さいので静電容量も小さいからである。指の先端のみで軽く触れたときの小さな静電容量でも操作スイッチが確実に動作するようにするためには、検出感度を上げる必要がある。しかし検出感度を上げると、今度は接続部や平面電極と接続部との間の導線に対向するトッププレートの上面に誤って指を触れたりあるいは触れないでも近接させたりすると操作スイッチが動作してしまう不都合が生じる。
【０００５】
上記の問題を解決するために、トッププレートの上面に設定した操作領域、トッププレートの裏面に前記操作領域のそれぞれに対向して設けた導電体の検知部、検知部に導電体で接続され、トッププレートの裏面に使用者から離れる方向へ検知部から離れて位置するように設けた導電体の接続部、及び接続部に接触し、検知部と制御部とを電気接続する接続端子を有する先行技術が開示されている（例えば、特許文献２参照開）。
【０００６】
上記構成によれば、接続部を、トッププレートの使用者に対向する縁部から離れる方向に向かって検知部から離れた位置に設けているので、使用者の指等が接続部に近接することはほとんどない。従って、操作スイッチの誤操作を大幅に減らすことができる。
【０００７】
いずれの先行技術も、検知部の外側近傍に窓枠を設けることや、検知部の境界線と略一致する枠を印刷することにより、使用者に検知部の検知領域を正しく認識してもらう構成としている。
【先行技術文献】
【特許文献】
【０００８】
【特許文献１】特開平１０−２１４６７７号公報
【特許文献２】特開２００３−２７２８１６号公報
【発明の概要】
【発明が解決しようとする課題】
【０００９】
しかしながら、前記従来の構成では、使用者に検知部の検知領域を正しく認識してもらう為に、検知部の外側近傍に窓枠を設けることや、検知部の境界線と略一致する枠を印刷する必要があり、前記操作領域の意匠性を損ねるという課題を有していた。
【００１０】
本発明は、前記従来の課題を解決するもので、天面操作部において、使用者による検知領域の認識性を損なうことなく意匠性を向上させた加熱調理器を提供することを目的とする。
【課題を解決するための手段】
【００１１】
前記従来の課題を解決する為に、本発明の加熱調理器は、筐体の上面に設けた電気絶縁性を有する板状部材のトッププレートと、前記トッププレートに設けた操作部に、文字、記号、絵文字または幾何学形状が印刷された印刷部、導電体の検知部、及び前記検知部に接触し、前記検知部と制御部とを電気接続する接続端子を有し、前記検知部の境界線は、前記印刷部を使用者側から見たときの文字、記号、絵文字または幾何学形状の前後端および左右端と一致するか外側近傍に配したものである。
【００１２】
これによって、前記操作部の、文字、記号、絵文字または幾何学形状は、操作内容に加えて検知領域も示すことになり、前記操作部に枠を設けることなく、前記検知領域を使用者が正しく認識することが可能となる。
【発明の効果】
【００１３】
本発明の加熱調理器は、操作部の、文字、記号、絵文字または幾何学形状は、操作内容に加えて検知領域も示すことで、使用者による検知領域の認識性を損なうことなく、意匠性を向上させることが出来る。
【図面の簡単な説明】
【００１４】
【図１】本発明の実施の形態１における加熱調理器の平面図
【図２】図１の加熱調理器の操作部近傍を示す要部拡大平面図
【図３】図２の加熱調理器の断面図
【図４Ａ】本発明の実施の形態２における操作部近傍を示す要部拡大平面図
【図４Ｂ】本発明の実施の形態２における操作部近傍を示す要部拡大平面図
【図４Ｃ】本発明の実施の形態２における操作部近傍を示す要部拡大平面図
【図４Ｄ】本発明の実施の形態２における操作部近傍を示す要部拡大平面図
【図４Ｅ】本発明の実施の形態２における操作部近傍を示す要部拡大平面図
【図５】本発明の実施の形態３における操作部近傍を示す要部拡大平面図
【図６】本発明の実施の形態４における操作部近傍を示す要部拡大平面図
【図７】本発明の実施の形態５における操作部近傍を示す要部拡大平面図
【図８】本発明の実施の形態６における操作部近傍を示す要部拡大断面図
【発明を実施するための形態】
【００１５】
第１の発明は、筐体の上面に設けた電気絶縁性を有する板状部材のトッププレートと、前記トッププレートに設けた操作部に、文字、記号、絵文字または幾何学形状が印刷された印刷部、導電体の検知部、及び前記検知部に接触し、前記検知部と制御部とを電気接続する接続端子を有し、前記検知部の境界線は、前記印刷部を使用者側から見たときの文字、記号、絵文字または幾何学形状の前後端および左右端と一致するか外側近傍に配される構成としたことにより、前記操作部の、文字、記号、絵文字または幾何学形状は、操作内容に加えて検知領域も示すことで、前記操作部に枠を設けることなく、前記検知領域を使用者が正しく認識することが可能となり、使用者による検知領域の認識性を損なうことなく、意匠性を向上させることが出来る。
【００１６】
第２の発明は、特に、第１の発明の前記操作部に配された前記印刷部は、操作内容を意味する文字、記号、絵文字または幾何学形状が印刷された第１の印刷部に加え、１本から３本の線で表現された幾何学形状が印刷された第２の印刷部を持つ構成としたことにより、前記第１の印刷部に印刷される操作内容を意味する文字、記号、絵文字または幾何学形状の大きさを変えることなく、前記第２の印刷部に印刷される幾何学形状よって前記印刷部および検知部の領域を広げることが可能となり、意匠性を損なうことなく前記印刷部および検知部の領域を拡大し、使用者の操作性を向上させることが出来る。
【００１７】
第３の発明は、特に、第２の発明の前記操作部を２つ以上有し、前記第２の印刷部の幾何形状は、全ての前記操作部で同１の形状を持つ構成としたことにより、第１の印刷部に印刷される操作内容を意味する文字、記号、絵文字または幾何学形状の自由度を確保しながら、各操作部に意匠の統一性を持たせる事ができるとともに、第２の発明と同様の効果を得ることが出来る。
【００１８】
第４の発明は、特に、第３の発明の前記操作部を横方向に複数並べて配置し、前記第２の印刷部は使用者側から見たときの前側もしくは後側もしくは前後ともに配されてなる構成としたことにより、前記操作部の並び方向と、前記第２の印刷部の線の方向を略一致させることが可能となり、前記操作部が横並びのときの意匠性を向上させることができるとともに、第３の発明と同様の効果を得ることが出来る。
【００１９】
第５の発明は、特に、第３の発明の前記操作部を縦方向に複数並べて配置し、前記第２の印刷部は使用者側から見たときの左側もしくは右側もしくは左右ともに配されてなる構成としたことにより、前記操作部の並び方向と、前記第２の印刷部の線の方向を略一致させることが可能となり、前記操作部が縦並びのときの意匠性を向上させることができるとともに、第３の発明と同様の効果を得ることが出来る。
【００２０】
第６の発明は、特に、第１〜５のいずれか１つの発明の前記接続端子は、前記検知部の範囲内において前記検知部の中央より使用者側に配置してなる構成としたことにより、被検知体である使用者の指先と前記接続端子との距離を短くできる為、検知感度を向上させることができる。
【００２１】
以下、本発明の実施の形態について、図面を参照しながら説明する。なお、この実施の形態によって本発明が限定されるものではない。
【００２２】
（実施の形態１）
図１、図２および図３は、それぞれ本発明の実施の形態１における加熱調理器の平面図、要部拡大平面図および要部拡大断面図を示すものである。
【００２３】
図１、図２および図３において、筐体の上面に設けた電気絶縁性を有する板状部材のト
ッププレート３２と、トッププレート３２の上面に設けた操作部３４に、幾何学形状が印刷された印刷部３６、トッププレート３２の下面に導電体の検知部３８、及び検知部３８に接触し、検知部３８と静電容量の変化によって操作の有無を検知する制御部４０とを電気接続する接続端子４２を有し、検知部の境界線４４は、印刷部３６を使用者側４８から見たときの幾何学形状の前後端および左右端と一致してなる構成としている。
【００２４】
以上のように構成された加熱調理器の操作装置について、動作、作用を説明する。
【００２５】
トッププレート３２の下方には、例えば、トッププレート３２に載置された鍋を誘導加熱する加熱コイルや、前記加熱コイルに高周波電流を供給するインバータ回路あるいはラジェントヒーター等の加熱手段を備えているが、周知技術なので、説明を省略する。
【００２６】
まず、使用者がトッププレート３２上方から操作部３４を目視した際に、印刷部３６の幾何学形状は視認できるので、使用者は操作したいときに印刷部３６の幾何学形状を指先で触れることが可能である。一方、使用者は検知部３８の破線で示す検知領域４６を直接視認することはできないが、実線で示す検知部の境界線４４は、印刷部３６を使用者側４８から見たときの幾何学形状の前後端および左右端と一致する構成としたことにより、印刷部の幾何学形状の下方には検知領域が存在することになる。
【００２７】
以上のように、本実施の形態においては、操作部３４の、文字、記号、絵文字または幾何学形状は、操作内容に加えて検知領域４６も示すことで、操作部３４に枠を設けることなく、検知領域４６を使用者が正しく認識することが可能となり、使用者による検知領域４６の認識性を損なうことなく、意匠性を向上させることが出来る。
【００２８】
（実施の形態２）
図４Ａは、本発明の実施の形態２における加熱調理器の要部拡大断面図を示すものであり、第１の実施例と異なるところを説明する。尚、第１の実施の形態と同一部分には同一符号を付している。
【００２９】
図４Ａにおいて、操作部３４に配された印刷部３６は、操作内容を意味する幾何学形状が印刷された第１の印刷部５０に加え、１本の点線で表現された幾何学形状が印刷された第２の印刷部５２を持つ構成としている。
【００３０】
以上のように構成された加熱調理器の操作装置について、動作、作用を説明する。
【００３１】
この構成によって、第１の印刷部５０に印刷される操作内容を意味する幾何学形状の大きさを変えることなく、第２の印刷部５２に印刷される幾何学形状よって印刷部３６および検知部３８の領域を広げることが可能となり、意匠性を損なうことなく印刷部３６および検知部３８の領域を拡大し、使用者の操作性を向上させることが出来る。
【００３２】
尚、第２の印刷部５２の幾何学形状は、図４Ｂ〜４Ｅに示すような実戦や曲線でもよいし、２本や３本の線でもよい。
【００３３】
（実施の形態３）
図５は、本発明の実施の形態３における加熱調理器の要部拡大断面図を示すものであり、第２の実施の形態と異なるところを説明する。尚、第２の実施の形態と同１部分には同１符号を付している。
【００３４】
図５において、操作部３４を２つ以上有し、第２の印刷部５２の幾何形状は、全ての操作部３４で同１の点線を持つ構成としている。
【００３５】
以上のように構成された加熱調理器の操作装置について、動作、作用を説明する。
【００３６】
この構成によって、第１の印刷部５０に印刷される操作内容を意味する幾何学形状の自由度を確保しながら、複数の操作部３４に意匠の統一性を持たせる事ができるとともに、第２の発明と同様の効果を得ることが出来る。
【００３７】
（実施の形態４）
図６は、本発明の実施の形態４における加熱調理器の要部拡大断面図を示すものであり、第３の実施の形態と異なるところを説明する。尚、第３の実施の形態と同１部分には同１符号を付している。
【００３８】
図６において、操作部３４を横方向に複数並べて配置し、第２の印刷部５２は使用者側４８から見たときの前側に配されてなる構成としている。
【００３９】
以上のように構成された加熱調理器の操作装置について、動作、作用を説明する。
【００４０】
この構成によって、操作部３４の並び方向と、第２の印刷部５２の線の方向を略一致させることが可能となり、操作部３４が横並びのときの意匠性を向上させることができるとともに、第３の発明と同様の効果を得ることが出来る。
【００４１】
（実施の形態５）
図７は、本発明の実施の形態５における加熱調理器の要部拡大断面図を示すものであり、第３の実施の形態と異なるところを説明する。尚、第３の実施の形態と同１部分には同１符号を付している。
【００４２】
図７において、操作部３４を縦方向に複数並べて配置し、第２の印刷部５２は使用者側４８から見たときの左側に配されてなる構成としている。
【００４３】
以上のように構成された加熱調理器の操作装置について、動作、作用を説明する。
【００４４】
この構成によって、操作部３４の並び方向と、第２の印刷部５２の線の方向を略一致させることが可能となり、操作部３４が縦並びのときの意匠性を向上させることができるとともに、第３の発明と同様の効果を得ることが出来る。
【００４５】
また、第２の印刷部５２は使用者側４８から見たときの右側に配されてなるようにしても、同様の効果を得ることが出来る。
【００４６】
（実施の形態６）
図８は、本発明の実施の形態６における加熱調理器の要部拡大断面図を示すものであり、第１の実施の形態と異なるところを説明する。尚、第１の実施の形態と同１部分には同１符号を付している。
【００４７】
図８において、接続端子４２は、検知部３８の範囲内において検知部３８の中央より使用者側４８に配置してなる構成としている。
【００４８】
以上のように構成された加熱調理器の操作装置について、動作、作用を説明する。
【００４９】
この構成によって、被検知体である使用者の指先５４と接続端子４２との距離を短くできる為、接続端子４２と使用者の指先５４との間の静電容量の変化により検知感度を向上
させることができる。
【産業上の利用可能性】
【００５０】
以上のように、本発明にかかる加熱調理器は、操作部において、使用者による検知領域の認識性を損なうことなく意匠性を向上させることが出来るので、トッププレートに操作領域を有する誘導加熱式、ハロゲン式、ラジエント式、及びガス式ヒーターを含むあらゆる組み合わせの単体もしくは複合の調理器に適用できるものである。
【符号の説明】
【００５１】
３２  トッププレート
３４  操作部
３６  印刷部
３８  検知部
４０  制御部
４２  接続端子
４４  検知部の境界線
４６  検知領域
４８  使用者側
５０  第１の印刷部
５２  第２の印刷部
５４  使用者の指先
【図１】
2013155923.tif 000003
【図２】
2013155923.tif 000004
【図３】
2013155923.tif 000005
【図４Ａ】
2013155923.tif 000006
【図４Ｂ】
2013155923.tif 000007
【図４Ｃ】
2013155923.tif 000008
【図４Ｄ】
2013155923.tif 000009
【図４Ｅ】
2013155923.tif 000010
【図５】
2013155923.tif 000011
【図６】
2013155923.tif 000012
【図７】
2013155923.tif 000013
【図８】
2013155923.tif 000014